(57)【要約】【課題】書籍を構成する紙を傷つけず、書籍からの抜け落ちを抑止し、持ち運ぶ際に嵩張らず破損しにくい書籍用栞を提供する。【解決手段】本の背表紙に面接触によって配置される硬質材料によって形成される背部材と、本の頁間に刺し込まれる硬質材料によって形成される栞部材と、当該栞部材は本ののど部に刺し込まれる栞部と背部材の上方より背部材の内部へ挿通される支持部とを上部で張り渡しコの字状に屈曲してなる線状部材によって形成され、当該線状部材の支持部が前記背部材に回転可能に保持されている書籍用栞である。又、前記栞部材の先端が内側に屈曲していることを特徴とする。【選択図】図１
2020104361.tif 000002
【特許請求の範囲】
【請求項１】
本の背表紙の上部に架止される書籍用栞において、当該書籍用栞が本の背表紙に面接触によって配置される硬質材料によって形成される背部材と、本の頁間に刺し込まれる硬質材料によって形成される栞部材と、当該栞部材は本ののど部に刺し込まれる栞部と背部材の上方より背部材の内部へ挿通される支持部とを上部で張り渡しコの字状に屈曲してなる線状部材によって形成され、当該線状部材の支持部が前記背部材に回転可能に保持されていることを特徴とする書籍用栞。
【請求項２】
前記栞部材の先端が内側に屈曲していることを特徴とする請求項１に記載された書籍用栞。
【請求項３】
前記栞部材が、本の背表紙から本ののど部に張り渡されている支持部上方における背部材側へ屈曲する角部において、３６０度回転しループ部を形成していることを特徴とする請求項１又は２に記載された書籍用栞。
【請求項４】
前記支持部における背部材に挿通される下端の径が、支持部を形成する他の棒状部材の径より大きく形成され引き抜け防止のストッパー部を有し、かつ背部材の内部に形成された空間に回動可能に保持されていることを特徴とする請求項１乃至３のいずれか一に記載された書籍用栞。
【発明の詳細な説明】
【技術分野】
【０００１】
この発明は、書籍の頁間に刺し込まれる栞に関するものである。特に背表紙を有する書籍に好適に用いられる栞に関するものである。
【背景技術】
【０００２】
現在、書籍における読みかけの頁の目印として栞が使用されている。汎用されている栞としては、製本段階で本の背表紙の上方に接着固定されている紐が知られている。しかし近年、背表紙の上方に紐を接着固定するためにかかる費用を節約するために、紐の装着されていない本が増えてきている。
そのため、紐の代替品として、紙、布、樹脂又は金属を薄く加工した長方形の栞が汎用されている。このような長方形の栞は、お土産用や民芸品の栞を除くと、書店で本を購入した際に無料配布されるものがほとんである。このような栞には、新刊本の紹介や、会社の宣伝広告用として製造されているものであり、贈答品としての価値やプレミアム感は存在しない。
又、このような長方形の栞には、本から抜け落ちるという問題があった。又、樹脂や金属製の栞の場合は、本を構成する紙を傷つけるといった問題画もあった。更に、長方形の栞は、読書中は本から除いて使用されることが多く、紛失する危険性もある。
【０００３】
そこで従来の紐や長方形の栞の問題点に鑑みて、種々の栞が発明されている。例えば、特許文献１や特許文献２には、クリップ状の栞が開示されている。又、特許文献３には、本に簡単に着脱して使用できる紐のついた栞が開示されている。
上記の栞は、いずれもプレミアム感があり、贈答品として利用可能な製品であり、従来の紐や長方形の栞の問題点を一部解消するものである。
しかしながら、クリップ状の栞は装着後に、書籍を構成する紙に凹凸状のクリップ跡が残ってしまうことが危惧される。又、これらの栞は、しっかり書籍の間に挟まる反面、栞を書籍から外す際に、外し難いという問題点も見受けられる。
又、上記の栞には、書籍の頁間に紐を挟んで、読書を再開する際には、書籍の下側にはみ出している紐から、所望の頁を即座に開くという、従来の紐の効果が全く失われてしまうという問題点もある。
更に、従来の栞の一部には、形状が固定されており、かつ立体的であることから、栞として使用せず携帯する際に嵩張ってしまったり、破損してしまうことが危惧されていた。
【先行技術文献】
【特許文献】
【０００４】
【特許文献１】実用新案登録第３０７７６４２号公報
【特許文献２】特開平５−３４５４９１号公報
【発明の概要】
【発明が解決しようとする課題】
【０００５】
本発明は、書籍を構成する紙を傷つけず、書籍からの抜け落ちを抑止する書籍用栞を提供することを目的とする。
又、本発明は、文庫本、新書版、ハードカバーの書籍等、背表紙のある製本されている本であれば種々の形態の書籍に対して使用することができる書籍用栞を提供することを目的とする。
又、本発明は、一本又は複数本の紐を容易に着脱することができ、所望に応じて背表紙側に装飾を施すことによって贈答品にもなるプレミアム感のある書籍用栞を提供することを目的とする。
また本発明は、栞を書籍から外す際に、力を入れることなく容易に外すことができる書籍用栞を提供することを目的とする。
更に本発明は、栞を使用せず鞄やポケットに入れて持ち運ぶ際に、嵩張らず破損しにくい書籍用栞を提供することを目的とする。
【課題を解決するための手段】
【０００６】
（１）本の背表紙の上部に架止される書籍用栞において、当該書籍用栞が本の背表紙に面接触によって配置される硬質材料によって形成される背部材と、本の頁間に刺し込まれる硬質材料によって形成される栞部材と、当該栞部材は本ののど部に刺し込まれる栞部と背部材の上方より背部材の内部へ挿通される支持部とを、上部で張り渡しコの字状に屈曲してなる線状部材によって形成され、当該線状部材の支持部が前記背部材に回転可能に保持されていることを特徴とする書籍用栞である。
本発明に係る書籍用栞は、本の背表紙に面接触する背部材と、棒線状の栞部材とから構成されているため、書籍を構成する紙を傷つけずに書籍からの抜け落ちを抑止する効果を有している。
又、同様の構成を有することによって、文庫本、新書版、ハードカバーの書籍等、背表紙のある製本されている本であれば種々の形態の書籍に対して使用できるため汎用性に優れている。
また本発明の上記構成によって、栞を書籍から外す際に、力を入れることなく容易に外すことができる。
更に本発明は当該線状部材の支持部が前記背部材に回転可能な挿通されている構成を有することによって、棒線素材を回転させることによって背部材の側面に移動させることができるため、立体的形状を平面的な形状に変化させることができる。
（２）前記栞部材の先端が内側に屈曲していることを特徴とする上記（１）に記載された書籍用栞である。
本発明はこのような構成を有することによって、書籍を構成する紙の表面を傷付けることなく使用可能となる。特に本ののど部に差し込む際に、栞部材の先端が屈曲していることから、紙の表面への擦傷の発生を抑止することが可能となる。またこのような構成を有することによって、書籍ののど部から書籍用栞を容易に引き抜くことができるようになる。更に栞部材に形成された屈曲形状により、紙面間にしっかりと栞部材が固定されることになる。
（３）前記栞部材が、本の背表紙から本ののど部に張り渡されている支持部上方における背部材側へ屈曲する角部において、３６０度回転しループ部を形成していることを特徴とする上記（１）又は（２）に記載された書籍用栞である。
本発明は、張り渡されている角部にループ部を形成することによって、背部材と栞部材との間にコイルバネと同様の弾発力を発生させることができる。このような構成によって、書籍に栞部材を差し込む際に発生する応力に柔軟に対応することが可能となるため、支持部の変形や書籍を構成する紙面への傷の発生を抑止することができる。すなわち書籍に栞部材を差し込んだ時に、紙面間の応力をループ部が吸収することから、背部材と栞部材との位置関係を柔軟に対応可能とすることができる。またループ部に紐を結びつけることが可能となり、一本又は複数本の紐を容易に着脱することができ、所望に応じて背表紙側に装飾を施し贈答品としての付加価値をつけることができるという効果を奏する。
（４）前記支持部における背部材に挿通される下端の径が、支持部を形成する他の棒状部材の径より大きく形成され引き抜け防止のストッパー部を有し、かつ背部材の内部に形成された空間に回動可能に保持されていることを特徴とする上記（１）乃至（３）のいずれか一に記載された書籍用栞である。
【発明の効果】
【０００７】
本発明に係る書籍用栞を使用することによって、書籍を構成する紙を傷つけず、書籍からの抜け落ちを抑止する効果を奏することができる。
又、本発明に係る書籍用栞を使用することによって、文庫本、新書版、ハードカバーの書籍等、背表紙のある製本されている本であれば種々の形態の書籍に対して使用し得るという効果を奏する。
【０００８】
又、本発明に係る書籍用栞を使用することによって、一本又は複数本の紐を容易に着脱することができ、所望に応じて背表紙側に装飾を施し贈答品としての付加価値をつけることができるという効果を奏する。
また本発明に係る書籍用栞を使用することによって、栞を書籍から外す際に、力を入れることなく容易に外すことができるという優れた効果を奏する。
更に本発明は、栞を使用せず鞄やポケットに入れて持ち運ぶ際に、棒線素材を回転させることによって立体的形状を平面的な形状に変化させることができるため、嵩張らず破損しにくい書籍用栞を提供するという技術的効果が認められる。
【図面の簡単な説明】
【０００９】
【図１】本発明の書籍用栞に係る実施形態１の構成を示す斜視図である。
【図２】本発明の書籍用栞に係る実施形態１を形成する背部材の分割概念図である。（ａ）は背面部材を表す概念図、（ｂ）は表部材を表す概念図、（ｃ）は背面部材と表部材を結合した状態を表す側面図である。
【図３】本発明の書籍用栞に係る実施形態１を形成する背部材の分割概念図である。（ａ）は結合した状態を表す平面図、（ｂ）は分離した状態の背面部材及び表部材を表す平面図である。
【図４】本発明の書籍用栞に係る実施形態１を形成する栞部材を表す側面図である。
【図５】本発明の書籍用栞に係る実施形態１の構成を示す概念図である。（ａ）は持ち運ぶ際の形態を表す正面図、（ｂ）は栞として使用する際の形態を表す側面図である。
【図６】本発明の書籍用栞に係る実施形態１における栞部材を回転させて変化する状態を示す平面図である。
【図７】本発明の書籍用栞に係る実施形態２を形成する背部材である。（ａ）は正面図、（ｂ）は側面図である。
【図８】本発明の書籍用栞に係る実施形態２を形成する栞部材を表す側面図である。
【図９】本発明の書籍用栞に係る実施形態２における栞として使用する際の形態を表す側面図である。
【図１０】本発明の書籍用栞に係る実施形態２における持ち運ぶ際の形態を表す正面図である。
【図１１】本発明の書籍用栞に係る実施形態３を形成する栞部材を表す側面図である。
【図１２】本発明の書籍用栞に係る実施形態３の構成を示す概念図である。（ａ）は持ち運ぶ際の形態を表す正面図、（ｂ）は栞として使用する際の形態を表す側面図である。
【図１３】本発明の書籍用栞に係る実施形態４の使用状態を説明するための斜視図である。
【発明を実施するための形態】
【００１０】
以下、本発明に係る書籍用栞について、詳細に説明する。本発明に係る書籍用栞は、背表紙のある書籍に使用される栞である。
本発明に係る書籍用栞は、本の背表紙に架止される硬質材料によって形成されている。すなわち、書籍の背表紙の上部に掛止して使用される。本発明に係る書籍用栞は、硬質材料によって形成されている。ただし、一部に軟質材料を付加しても本発明の範囲である。
本発明にいう硬質材料は、金属・合金といった金属材料、炭素鋼・ステンレス鋼・含鉄合金、鋳鉄といった鋼鉄材料、アルミニウム・アルミニウム合金・ニッケル・ニッケル合金・マグネシウム・マグネシウム合金・銅・銅合金・黄銅、チタン・チタニウム合金といった非鉄金属材料、プラスチック、ゴム、木材、紙素材といった非金属材料、繊維強化プラスチック・繊維強化金属・繊維強化セラミックス・炭素繊維強化炭素複合材料といった複合材料等が挙げられる。一定の強度、剛性、弾性、靭性、加工容易性、入手容易性といった特性を有し、定型性を有する固体であれば、広く使用することができる。
特に強度、剛性、弾性、加工容易性、入手容易性の観点からは、アルミニウム・アルミニウム合金、ステンレス鋼、銅、黄銅（特に真鍮）が好ましい。
【００１１】
本発明に係る書籍用栞は、本の背表紙に面接触によって接触する背部材を有する。ここで面接触とは、前記背部材の平面形状が、長方形、正方形、三角形、台形、前記以外の多角形、円形、半円形、楕円形等であれば良い。本の背表紙に面積を伴って密着するものであれば、特に形状は限定されない。
本発明に係る書籍用栞は、本の頁間に刺し込まれる棒線状の栞部材を有する。本発明に使用される栞部材は、長尺の硬質材料によって形成される。
また本発明に係る書籍用栞は、前記背部材と栞部材とを書籍の上方にて梁渡して連接する機能を有する橋渡部を有している。すなわち、本発明における支持部と栞部と橋渡部とは、一体的に連続して形成され栞部材を形成している。前記橋渡部が支持部と栞部の中間上方に配置され、支持部と栞部を連接する機能を有している。又、書籍を書棚に立てて置いた場合、本発明に係る書籍用栞は、頁間に配置される支持部及び栞部は垂直に下降する位置に配置されるが、橋渡部は水平方向に配置される。すなわち橋渡部は書籍の背表紙から頁内部にかけて、書籍の上面に配置される形で使用されることになる。
【００１２】
又、本発明に係る書籍用栞は、栞部の先端（下端部）が内側に屈曲して折り返されて形成されているのが好ましい。背部材の先端を屈曲させることによって、書籍を構成する紙を傷つけず、また屈曲で構成される面全体が頁間に挟まれて発生する応力を受けるため、書籍から書籍用栞の抜け落ちを抑止する効果を奏することができる。
以下、図面に則して本発明に係る書籍用栞の実施形態の一例を説明する。以下に示す実施形態は、あくまでも本発明の一例であって、本発明の技術的範囲を限定するものではない。
実施形態１
図１は、本発明の書籍用栞に係る実施形態１の構成を示す斜視図である。
図１に示す如く、本発明の実施形態１に係る書籍用栞１０は、図示しない本の背表紙に面接触によって配置される硬質材料によって形成される背部材１と、本の頁間に刺し込まれる硬質材料によって形成される栞部材２とによって構成される。前記栞部材２は、図示しない本ののど部に刺し込まれる栞部３と、背部材１の上方より背部材１の内部へ挿通される支持部４とを、上部で張り渡しコの字状に屈曲してなる線状部材によって形成された橋渡部５によって一体に構成される。また前記線状部材によって形成された支持部４は、前記背部材１の内部によって矢印の如く回転可能に保持されている。
【００１３】
図２は、本発明の書籍用栞に係る実施形態１を形成する背部材１の概念図である。（ａ）は背面部材２１を表す概念図、（ｂ）は表部材２２を表す概念図、（ｃ）は背面部材と表部材を結合し背部材１を形成した状態を表す側面図である。
図２（ａ）に示す如く背面部材２１には、支持部４を挿通するためのハーフパイプ状の凹部２３が形成されている。凹部２３の下端には、後述する栞部材２５における支持部４の下端部に形成される引き抜け防止のストッパー部を回動可能に保持するための凹部保持部２７が形成されている。凹状保持部２７は、支持部４を形成する棒状部材の径より大きく形成された空間である。また右左側面側には、表部材２２と嵌合するための凸状部２４，２４が形成されている。
また図２（ｂ）に示す如く表部材２２には、支持部４を挿通するためのハーフパイプ状の凹部２５が形成されている。凹部２５の下端には、後述する栞部材２５における支持部４の下端部に形成される引き抜け防止のストッパー部を回動可能に保持するための凹部保持部２８が形成されている。凹状保持部２８は、支持部４を形成する棒状部材の径より大きく形成された空間である。また右左側面側には、背面部材２１と嵌合するための凹状部２６，２６が形成されている。
更に図２（ｃ）に示す如く、背面部材２１と表部材２２との裏面を当接させ、嵌合部を接合することによって、背部材１が形成される。
【００１４】
図３は、本発明の書籍用栞に係る実施形態１を形成する背部材１の上方から視認した概念図である。（ａ）は結合した状態を表す平面図、（ｂ）は分離した状態の背面部材及び表部材を表す平面図である。
図３（ａ）に示す如く本実施形態１に使用される背部材１は、背面部材２１と表部材２２との裏面を当接させることによって形成されている。中央部には栞部材における支持部を挿通するための筒状の保持部における挿入部３０が形成されている。
図３（ｂ）に示す如く表部材２２には、支持部４を挿通するためのハーフパイプ状の凹部２５が形成されている。また右左側面側には、背面部材２１と嵌合するための凹状部２６，２６が形成されている。
また図３（ｂ）に示す如く背面部材２１には、支持部４を挿通するためのハーフパイプ状の凹部２３が形成されている。また右左側面側には、表部材２２と嵌合するための凸状部２４，２４が形成されている。
【００１５】
図４は、本発明の書籍用栞に係る実施形態１を形成する栞部材２を表す側面図である。
図４に示す如く本実施形態１に係る栞部材２は、栞部２と橋渡部５と支持部４とが連接して形成されている。
図４に示す如く前記栞部材２の先端には、内側に曲折する屈曲部４２が形成されている。かかる屈曲部を有することによって、書籍を構成する紙を傷つけず、また屈曲部で構成される面全体が頁間に挟まれて発生する応力を受けるため、書籍から書籍用栞の抜け落ちを抑止する効果を奏することができる。
また図４に示す如く前記栞部材２が、図示しない本の背表紙の上部に刺し込まれ張り渡されている支持部４上方と橋渡部５との角部において、３６０度回転しループ部４１を形成している。ループ部４１の構成によって、書籍に栞部材を差し込んだ時に、紙面間の応力をループ部が吸収することから、背部材と栞部材との位置関係を柔軟に対応可能とすることができる。またループ部４１に紐を結びつけることが可能となり、一本又は複数本の紐を容易に着脱することができ、所望に応じて背表紙側に装飾を施し贈答品としての付加価値をつけることができるという効果を奏する。
前記支持部４における図示しない背部材に挿通される下端には、支持部４を形成する他の棒状部材の径より大きく形成された引き抜け防止のストッパー部４７が形成されている。かかる引き抜け防止のストッパー部４７は、図２（ａ）に示した凹状保持部２７及び図２（ｂ）に示した凹状保持部２８によって背部材１の内部に形成された空間に回動可能に保持される。
【００１６】
図５は、本発明の書籍用栞に係る実施形態１の構成を示す概念図である。
図５に示す如く、本実施形態１に係る書籍用栞は背部材１と、本の頁間に刺し込まれる硬質材料によって形成される栞部材２とによって形成されている。かかる栞部材２は本ののど部に刺し込まれる栞部３と背部材１の上方より背部材１の内部へ挿通される支持部４とを、上部で張り渡しコの字状に屈曲してなる橋渡部５によって形成されている。
支持部４における背部材１に挿通される下端には、支持部４を形成する他の棒状部材の径より大きく形成された引き抜け防止のストッパー部４７が形成されている。かかる引き抜け防止のストッパー部４７は、背部材１の内部の凹状保持部２７，２８によって形成された空間に回動可能に保持される。
図５（ａ）は、持ち運ぶ際の形態を表す正面図である。上記構造によって、図６に示す如く、栞部材２は背部材１に対して回動する。そのため、図５（ｂ）に示す如く、栞として使用する際には、栞部材２を背部材１に対して垂直方向に配置することが可能である。
【００１７】
実施形態２
図７は、本発明の書籍用栞に係る実施形態２を形成する背部材である。（ａ）は正面図、（ｂ）は側面図である。
図７（ａ）に示す如く背部材７１には、後述する栞部材８０の支持部８４を挿通するための穴７２，７２が形成されている。
また図７（ｂ）に示す如く背部材７１には、支持部８４を挿通するための穴７２，７２が形成されている。かかる穴７２，７２に、後述する栞部材８０における支持部８４を挿通することによって、栞部材８０を背部材７１に対して回転可能に保持することができる。
【００１８】
図８は、本発明の書籍用栞に係る実施形態２を形成する栞部材８０を表す側面図である。
図８に示す如く本実施形態２に使用される栞部材８０は、栞部８２と橋渡部８５と支持部８４とが連接して形成されている。
図８に示す如く前記栞部材８０の先端には、内側に曲折する屈曲部８８が形成されている。かかる屈曲部８８を有することによって、書籍を構成する紙を傷つけず、また屈曲部で構成される面全体が頁間に挟まれて発生する応力を受けるため、書籍から書籍用栞の抜け落ちを抑止する効果を奏することができる。
また図８に示す如く前記栞部材８０が、図示しない本の背表紙の上部に刺し込まれ張り渡されている支持部８４上方と橋渡部８５との角部において、３６０度回転しループ部８１を形成している。ループ部８１の構成によって、書籍に栞部材を差し込んだ時に、紙面間の応力をループ部が吸収することから、背部材と栞部材との位置関係を柔軟に対応可能とすることができる。またループ部８１に紐を結びつけることが可能となり、一本又は複数本の紐を容易に着脱することができ、所望に応じて背表紙側に装飾を施し贈答品としての付加価値をつけることができるという効果を奏する。
【００１９】
図９は、本発明の書籍用栞に係る実施形態２における栞として使用する際の形態を表す側面図である。
図９に示す如く、本実施形態２に係る書籍用栞７０は背部材７１と、本の頁間に刺し込まれる硬質材料によって形成される栞部材８０とによって形成されている。かかる栞部材８０は本ののど部に刺し込まれる栞部と背部材７１へ挿通される支持部とを、上部で張り渡しコの字状に屈曲してなる橋渡部によって形成されている。
図９に示す如く、栞部材８０は背部材７１に対して回動する。そのため、図９に示す如く、栞として使用する際には、栞部材８０を背部材７１に対して垂直方向に配置することが可能である。
【００２０】
図１０は、本実施形態２に係る書籍用栞における持ち運ぶ際の形態を表す正面図である。図１０に示す如く栞部材８０は、支持部における背部材７１に挿通され回動可能に保持される。
本実施形態２に係る書籍用栞７０は、栞を使用せず鞄やポケットに入れて持ち運ぶ際に、図１０に示す如く棒線素材を回転させることによって立体的形状を平面的な形状に変化させることができるため、嵩張らず破損しにくい書籍用栞を提供することが可能となる。
【００２１】
実施形態３
図１１は、本発明の書籍用栞に係る実施形態３を形成する栞部材を表す側面図である。
図１１に示す如く本実施形態３に使用される栞部材１１０は、栞部１１２と橋渡部１１５と支持部１１４とが連接して形成されている。
図１２は、本発明の書籍用栞１２０に係る実施形態３の構成を示す概念図である。（ａ）は持ち運ぶ際の形態を表す正面図、（ｂ）は栞として使用する際の形態を表す側面図である。
図１２（ａ）は、本実施形態３に係る書籍用栞１２０における持ち運ぶ際の形態を表す正面図である。図１２（ａ）に示す如く栞部材１１０は、支持部における背部材１２１に挿通され回動可能に保持される。
本実施形態３に係る書籍用栞１２０は、栞を使用せず鞄やポケットに入れて持ち運ぶ際に、図１２（ａ）に示す如く棒線素材を回転させることによって立体的形状を平面的な形状に変化させることができるため、嵩張らず破損しにくい書籍用栞を提供することが可能となる。
【００２２】
図１２（ｂ）は、本発明の書籍用栞１２０に係る実施形態３における栞として使用する際の形態を表す側面図である。
図１２（ｂ）に示す如く、本実施形態４に係る書籍用栞１２０は背部材１２１と、本の頁間に刺し込まれる硬質材料によって形成される栞部材１１０とによって形成されている。かかる栞部材１１０は本ののど部に刺し込まれる栞部１１２と背部材１２１へ挿通される支持部とを、上部で張り渡しコの字状に屈曲してなる橋渡部１１５によって形成されている。
図１２（ａ）及び（ｂ）に示す如く、栞部材１１０は背部材１２１に対して回動する。そのため、図１２（ｂ）に示す如く、栞として使用する際には、栞部材１１０を背部材１２１に対して垂直方向に配置することが可能である。
【００２３】
実施形態４
図１３は、本発明の書籍用栞に係る実施形態４の使用状態を説明するための斜視図である。
図１３に示す如く、本発明の実施形態４に係る書籍用栞１３０は、本１４０の背表紙１４５に面接触によって配置される硬質材料によって形成される背部材１３１と、本の頁間に刺し込まれる硬質材料によって形成される栞部材１３２とによって構成される。前記栞部材１３２は、図示しない本ののど部に刺し込まれる栞部１３３と、背部材１の上方より背部材１３１の内部へ挿通される支持部とを、上部で張り渡しコの字状に屈曲してなる線状部材によって形成された橋渡部１３５によって一体に構成される。また前記線状部材によって形成された支持部は、前記背部材１３１の内部によって矢印の如く回転可能に保持されている。
図１３に示す如く、本１４０は、表紙１４１と裏表紙１４７と小口１４２と地１４３と見開き頁１４８と、のど１４６と背表紙１４５、天１４４とから構成される。
本実施形態４に係る書籍用栞１３０は、矢印方向に移動することによって、本の見開きページ１４８における、のど部１４６に書籍用栞１３０の栞部１３３を刺し込まれる。書籍用栞１３０の橋渡部１３５は本の背表紙１４５の上方に配置される。又、書籍用栞１３０の背部材１３１を背表紙１４５に面接触によって配置される。
【００２４】
この状態で本を閉じることによって、書籍用栞１３０は固定されるため、書籍を構成する紙を傷つけず、書籍からの抜け落ちを抑止する効果を奏する。又、本発明に係る書籍用栞を使用することによって、文庫本、新書版、ハードカバーの書籍等、背表紙のある製本されている本であれば種々の形態の書籍に対して使用し得る。
又、本発明に係る書籍用栞を使用することによって、一本又は複数本の紐を容易に着脱することができ、所望に応じて背表紙側に装飾を施し贈答品としての付加価値をつけることができる。また本発明に係る書籍用栞を使用することによって、栞を書籍から外す際に、力を入れることなく容易に外すことができる。
更に本発明は、栞を使用せず鞄やポケットに入れて持ち運ぶ際に、棒線素材を回転させることによって立体的形状を平面的な形状に変化させることができるため、嵩張らず破損しにくい書籍用栞を提供することができる。
【符号の説明】
【００２５】
１，７１，１２１，１３１  背部材
２，１０，８０，１１０，１３２  栞部材
３，８２  栞部
４，８４  支持部
５，８５  橋渡部
１０，７０，１２０，１３０  書籍用栞
４１，８１  ループ部
４７  引き抜け防止ストッパー
【図１】
2020104361.tif 000003
【図２】
2020104361.tif 000004
【図３】
2020104361.tif 000005
【図４】
2020104361.tif 000006
【図５】
2020104361.tif 000007
【図６】
2020104361.tif 000008
【図７】
2020104361.tif 000009
【図８】
2020104361.tif 000010
【図９】
2020104361.tif 000011
【図１０】
2020104361.tif 000012
【図１１】
2020104361.tif 000013
【図１２】
2020104361.tif 000014
【図１３】
2020104361.tif 000015